(57)【特許請求の範囲】
【請求項１】
調光信号を受信する受信部と；
前記受信部によって受信された調光信号に従って光源の調光を制御するとともに、当該調光信号に基づく調光信号を生成する制御部と；
前記制御部によって生成された調光信号を出力先における他の光源の調光制御に用いられる電圧に増幅し、出力する増幅部と；
を具備することを特徴とする点灯装置。
【請求項２】
前記制御部は、
制御用部品を備え、当該制御用部品に供給される電源電圧の範囲内で前記受信部によって受信された調光信号に基づく調光信号を生成することを特徴とする請求項１記載の点灯装置。
【請求項３】
前記制御部は、
前記受信部によって受信された調光信号よりも電圧が小さい調光信号を生成することを特徴とする請求項２記載の点灯装置。
【請求項４】
前記増幅部は、
前記制御部によって生成された調光信号の電圧を前記受信部によって受信された調光信号の電圧と略同一の電圧にまで増幅することを特徴とする請求項１〜３のいずれかに記載の点灯装置。
【請求項５】
第１光源及び第２光源にそれぞれ対応する第１点灯装置及び第２点灯装置を有する照明用の電源装置であって、
前記第１点灯装置は、
調光信号を受信する第１受信部と；
前記第１受信部によって受信された調光信号に従って第１光源の調光を制御するとともに、当該調光信号に基づく調光信号を生成する第１制御部と；
前記第１制御部によって生成された調光信号を前記第２点灯装置における第２光源の調光制御に用いられる電圧に増幅し、出力する増幅部と；
を具備し、
前記第２点灯装置は、
前記増幅部によって増幅出力された調光信号を受信する第２受信部と；
前記第２受信部によって受信された調光信号に従って前記第２光源の調光を制御する第２制御部と；
を具備することを特徴とする電源装置。
【請求項６】
調光信号を受信する受信ステップと；
前記受信ステップにて受信された調光信号に従って光源の調光を制御する制御ステップと；
前記受信ステップにて受信された調光信号に基づく調光信号を生成する生成ステップと；
前記生成ステップにて生成された調光信号を出力先における他の光源の調光制御に用いられる電圧に増幅し、出力する増幅ステップと；
を含んだことを特徴とする調光方法。
【発明の詳細な説明】
【技術分野】
【０００１】
本発明の実施形態は、点灯装置、電源装置及び調光方法に関する。
【背景技術】
【０００２】
従来、例えばＬＥＤ（Light  Emitting  Diode：発光ダイオード）などの光源の光量を調整する際に、ＰＷＭ（Pulse  Width  Modulation：パルス幅変調）方式の調光信号を用いたＰＷＭ調光が行われることがある。ＰＷＭ調光においては、操作者が調光器を操作することにより、所望の光量に応じたデューティ比の調光信号が出力され、この調光信号が光源を備えた照明装置に入力される。そして、照明装置では、調光信号のデューティ比に従って光源の点灯と消灯が高速に繰り返され、結果として、光源の光量が調整される。具体的には、例えば調光信号のパルス幅が大きくなり、信号レベルがハイ（High）の期間が相対的に長くなると、光源の消灯時間が相対的に長くなり光量は低下する。
【０００３】
このように、光量の調整が可能な照明装置では、調光器から入力される調光信号に応じて光源の点灯が制御され、光量を調整することにより所望の明るさが得られるようになっている。このため、照明装置には、一般に光源の点灯を制御するための点灯回路が設けられることがある。
【先行技術文献】
【特許文献】
【０００４】
【特許文献１】特開平１−７４０６６号公報
【特許文献２】特開２０１１−１６５４００号公報
【発明の概要】
【発明が解決しようとする課題】
【０００５】
ところで、上述した照明装置には、複数の光源が搭載されることがある。すなわち、例えば１台の照明装置にＲＧＢ（Red  Green  Blue：赤色、緑色、青色）の三色のＬＥＤがそれぞれ搭載されたり、同色のＬＥＤが複数搭載されたりすることがある。そして、複数の光源が照明装置に搭載されると、出力の容量が増大するため、各光源に対応する複数の点灯回路が設けられることがある。
【０００６】
このような照明装置の構成例を図５に示す。図５に示すように、交流電源１０に接続された照明装置には、整流回路２０が設けられるとともに、複数の点灯回路３０ａ〜３０ｃが設けられている。そして、各点灯回路３０ａ〜３０ｃには、それぞれ光源４０ａ〜４０ｃが接続されている。この照明装置において、整流回路２０は、交流電源１０からの交流電力を整流し、各点灯回路３０ａ〜３０ｃへ供給する。点灯回路３０ａ〜３０ｃは、整流回路２０から供給される電流を用いて、図示しない調光器から入力される調光信号に応じて光源４０ａ〜４０ｃの点灯を制御する。
【０００７】
このように、複数の点灯回路を備えた照明装置の調光を行う場合には、複数の点灯回路それぞれに調光信号が入力される。これに伴い、調光器と照明装置を接続する調光信号線に流れる電流は、照明装置内に設けられる点灯回路数が多くなるにつれて増大する。すなわち、例えば１つの点灯回路に入力される調光信号の電流値が４ｍＡ（ミリアンペア）である場合、図５の照明装置に接続する調光信号線には、３つの点灯回路分の１２ｍＡの電流が流れることになる。
【０００８】
しかしながら、調光器が供給可能な最大電流値は固定されており、１つの調光器に接続可能な点灯回路の数には上限がある。このため、１台の照明装置に多くの点灯回路が設けられると、照明装置１台当たりに必要とされる調光信号の電流値が大きくなり、１つの調光器に接続可能な照明装置の数が制限されてしまうことになる。したがって、例えば１つの光源を備えた照明装置を複数の光源を備えた照明装置に交換する場合などに、既設の調光器に接続可能な照明装置の数が減少することとなり、調光器を増設する必要が生じてしまうことがある。
【０００９】
本発明はかかる点に鑑みてなされたものであり、１つの調光器に接続可能な照明装置の数の減少を防止することができる点灯装置、電源装置及び調光方法を提供することを目的とする。
【課題を解決するための手段】
【００１０】
実施形態に係る点灯装置は、調光信号を受信する受信部と、前記受信部によって受信された調光信号に従って光源の調光を制御するとともに、当該調光信号に基づく調光信号を生成する制御部と、前記制御部によって生成された調光信号を増幅出力する増幅部と、を備える。
【発明の効果】
【００１１】
本発明によれば、１つの調光器に接続可能な照明装置の数の減少を防止することが期待できる。
【図面の簡単な説明】
【００１２】
【図１】図１は、一実施形態に係る照明装置の構成を示す図である。
【図２】図２は、一実施形態に係る調光信号受信部の構成を示す図である。
【図３】図３は、一実施形態に係る増幅部の構成を示す図である。
【図４】図４は、一実施形態に係る点灯回路の動作を示すフロー図である。
【図５】図５は、複数の光源を備えた照明装置の構成を示す図である。
【発明を実施するための形態】
【００１３】
以下、図面を参照して、一実施形態に係る点灯装置、電源装置及び調光方法を説明する。
【００１４】
以下の一実施形態に係る点灯回路１３０ａ〜１３０ｃにおいて、調光信号受信部１３７ａ〜１３７ｃは、調光信号を受信する。制御部１３８ａ〜１３８ｃは、調光信号受信部１３７ａ〜１３７ｃによって受信された調光信号に従って光源の調光を制御するとともに、当該調光信号に基づく調光信号又は当該調光信号と同一の情報を有する調光信号を生成する。すなわち、制御部１３８ａ〜１３８ｃは、入力された調光信号と同一の情報を有する調光信号を生成しても良いし、入力された調光信号を加工した情報を有する調光信号を生成しても良い。増幅部１３９ａ〜１３９ｃは、制御部１３８ａ〜１３８ｃによって生成された調光信号を増幅出力する。
【００１５】
また、上記の点灯回路１３０ａ〜１３０ｃにおいて、制御部１３８ａ〜１３８ｃは、制御用部品を備え、当該制御用部品に供給される電源電圧の範囲内で調光信号受信部１３７ａ〜１３７ｃによって受信された調光信号に基づく調光信号を生成する。
【００１６】
また、上記の点灯回路１３０ａ〜１３０ｃにおいて、制御部１３８ａ〜１３８ｃは、調光信号受信部１３７ａ〜１３７ｃによって受信された調光信号よりも電圧が小さい調光信号を生成する。
【００１７】
また、上記の点灯回路１３０ａ〜１３０ｃにおいて、増幅部１３９ａ〜１３９ｃは、制御部１３８ａ〜１３８ｃによって生成された調光信号の電圧を調光信号受信部１３７ａ〜１３７ｃによって受信された調光信号の電圧と略同一の電圧にまで増幅する。
【００１８】
また、一実施形態に係る電源装置１２０は、光源１４０ａ及び光源１４０ｂにそれぞれ対応する点灯回路１３０ａ及び点灯回路１３０ｂを有する照明用の電源装置１２０である。そして、点灯回路１３０ａにおいて、調光信号受信部１３７ａは、調光信号を受信し、制御部１３８ａは、調光信号受信部１３７ａによって受信された調光信号に従って光源１４０ａの調光を制御するとともに、当該調光信号に基づく調光信号を生成し、増幅部１３９ａは、制御部１３８ａによって生成された調光信号を増幅出力する。さらに、点灯回路１３０ｂにおいて、調光信号受信部１３７ｂは、増幅部１３９ａによって増幅出力された調光信号を受信し、制御部１３８ｂは、調光信号受信部１３７ｂによって受信された調光信号に従って光源１４０ｂの調光を制御する。
【００１９】
図１は、一実施形態に係る照明装置の構成を示す図である。図１に示す照明装置は、交流電源１１０、電源装置１２０及び光源１４０ａ〜１４０ｃを有する。
【００２０】
交流電源１１０は、例えば電圧が１００〜２４０∨（ボルト）の範囲の電源であり、電源装置１２０に交流電力を供給する。
【００２１】
電源装置１２０は、交流電源１１０から供給される交流電力を用いて、図示しない調光器から入力される調光信号に応じて例えばＬＥＤなどの発光素子を備えた光源１４０ａ〜１４０ｃの点灯を制御する。このとき、電源装置１２０は、光源が１つの場合と同じ電流値（例えば４ｍＡ）の調光信号の入力を受け付け、この調光信号によって３つの光源１４０ａ〜１４０ｃの点灯を制御する。具体的には、電源装置１２０は、光源１４０ａ〜１４０ｃに対応する点灯回路１３０ａ〜１３０ｃを備える。
【００２２】
点灯回路１３０ａは、光源１４０ａの点灯を制御する点灯回路であり、全波整流器１３１ａ、電解コンデンサ１３２ａ、ダイオード１３３ａ、ＦＥＴ（Field  Effect  Transistor：電界効果トランジスタ）１３４ａ、インダクタ１３５ａ及びコンデンサ１３６ａを有する。また、点灯回路１３０ａは、調光信号受信部１３７ａ、制御部１３８ａ及び増幅部１３９ａを有する。なお、点灯回路１３０ｂ、１３０ｃは、点灯回路１３０ａと同様の構成を有するため、その説明を省略する。
【００２３】
全波整流器１３１ａは、交流電源１１０から供給される交流電力を整流して直流電力に変換する。電解コンデンサ１３２ａは、全波整流器１３１ａの正負極に接続され、全波整流器１３１ａによって得られた直流電力を平滑化する。本実施形態において、全波整流器１３１ａ及び電解コンデンサ１３２ａは、整流回路として動作する。
【００２４】
ダイオード１３３ａは、インダクタ１３５ａ及びコンデンサ１３６ａと共に閉回路を形成しており、ＦＥＴ１３４ａが非導通状態のときに、インダクタ１３５ａからの電流によりコンデンサ１３６ａを充電する。
【００２５】
ＦＥＴ１３４ａは、制御部１３８ａの制御によって駆動されるスイッチング素子であり、全波整流器１３１ａ、インダクタ１３５ａ及びコンデンサ１３６ａと直列に接続されている。そして、ＦＥＴ１３４ａは、制御部１３８ａの制御に従って導通状態及び非導通状態を切り替える。ＦＥＴ１３４ａは、導通状態のときには、電解コンデンサ１３２ａによって平滑化された直流電力によりインダクタ１３５ａを充電する。
【００２６】
インダクタ１３５ａは、ＦＥＴ１３４ａが導通状態のときに充電され、ＦＥＴ１３４ａが非導通状態のときに放電する。このように、ＦＥＴ１３４ａが非導通状態のときにインダクタ１３５ａが放電することにより、ダイオード１３３ａを介してコンデンサ１３６ａが充電される。
【００２７】
コンデンサ１３６ａは、ＦＥＴ１３４ａが非導通状態のときに充電されることにより直流電力を平滑化し、充電電圧によって光源１４０ａを点灯させる。すなわち、コンデンサ１３６ａの両端には光源１４０ａが接続されており、コンデンサ１３６ａからの電流によって光源１４０ａが点灯する。
【００２８】
調光信号受信部１３７ａは、図示しない調光器から出力された調光信号を受信する。調光信号受信部１３７ａは、例えばＰＷＭ方式の調光信号を受信するが、その電流値は点灯回路及び光源を１つずつ備えた照明装置へ入力される調光信号の電流値（例えば４ｍＡ）に等しい。なお、点灯回路１３０ｂ、１３０ｃにおける調光信号受信部１３７ｂ、１３７ｃは、図示しない調光器から出力された調光信号ではなく、それぞれ隣接する前段の点灯回路１３０ａ、１３０ｂの増幅部１３９ａ、１３９ｂから出力される調光信号を受信する。
【００２９】
制御部１３８ａは、例えばマイコン（マイクロコントローラ又はマイクロコンピュータ）やプロセッサなどの制御用部品を備え、調光信号受信部１３７ａによって受信された調光信号に従ってＦＥＴ１３４ａを駆動する。すなわち、制御部１３８ａは、例えばＰＷＭ方式の調光信号が調光信号受信部１３７ａによって受信された場合、調光信号のデューティ比に従ってＦＥＴ１３４ａの導通状態及び非導通状態を切り替える。これにより、光源１４０ａの点灯時間と消灯時間の時間比が調整され、結果として、光源１４０ａの光量が調整される。
【００３０】
また、制御部１３８ａは、調光信号受信部１３７ａによって受信された調光信号と同様の調光を行うための調光信号を生成し、得られた調光信号を増幅部１３９ａへ出力する。すなわち、制御部１３８ａは、調光信号受信部１３７ａによって受信された調光信号に基づく調光信号を生成する。具体的には、例えば調光信号がＰＷＭ方式の調光信号である場合、制御部１３８ａは、調光信号受信部１３７ａによって受信された調光信号とパルス幅が等しい調光信号を生成しても良いし、受信された調光信号に基づいて、他の方式の調光信号や異なるパルス幅の調光信号を生成しても良い。
【００３１】
ただし、制御部１３８ａが生成する調光信号の電圧は、調光信号受信部１３７ａによって受信された調光信号の電圧と同一でなくても良い。すなわち、制御部１３８ａは、マイコンなどに供給される電源電圧の範囲内で調光信号を生成する。したがって、制御部１３８ａは、通常、調光信号受信部１３７ａによって受信される調光信号よりも電圧が小さい調光信号を生成する。
【００３２】
増幅部１３９ａは、制御部１３８ａから出力された調光信号を増幅し、増幅後の調光信号を隣接する点灯回路１３０ｂの調光信号受信部１３７ｂへ出力する。具体的には、増幅部１３９ａは、制御部１３８ａによって生成された調光信号を、図示しない調光器の出力電圧（例えば１２∨）と等しい電圧にまで増幅する。したがって、増幅部１３９ａは、図示しない調光器から出力された調光信号に基づく情報を含み、電圧が略同一の調光信号を点灯回路１３０ｂへ出力することになる。
【００３３】
なお、最後段の点灯回路１３０ｃにおける増幅部１３９ｃの出力端子は、終端処理されており、増幅部１３９ｃから調光信号が出力されることはない。したがって、最後段の点灯回路１３０ｃは、増幅部１３９ｃを省略した構成とすることも可能である。同様に、最後段の点灯回路１３９ｃにおける制御部１３８ｃは、調光信号の生成を行わないようにしても良い。
【００３４】
図２は、本実施形態に係る調光信号受信部１３７ａの構成を示す図である。図２に示すように、調光信号受信部１３７ａは、抵抗２０１、全波整流器２０２、フォトカプラ２０３及び抵抗２０４を有する。
【００３５】
抵抗２０１は、図示しない調光器と調光信号線によって接続されており、調光信号の電流値を点灯回路及び光源を１つずつ備えた照明装置へ入力される調光信号の電流値（例えば４ｍＡ）に調整する。したがって、本実施形態に係る照明装置は３つの点灯回路１３０ａ〜１３０ｃを備えているが、調光信号線に流れる電流は、照明装置が１つの点灯回路を備えている場合と同じになる。
【００３６】
なお、点灯回路１３０ｂ、１３０ｃにおける抵抗２０１は、それぞれ隣接する前段の点灯回路１３０ａ、１３０ｂの増幅部１３９ａ、１３９ｂに接続されており、増幅部１３９ａ、１３９ｂから出力される調光信号の電流値を調整する。
【００３７】
全波整流器２０２は、調光信号を整流してフォトカプラ２０３へ出力する。フォトカプラ２０３は、調光信号受信部１３７ａの入力と出力を絶縁しつつ、調光信号を制御部１３８ａへ出力する。すなわち、フォトカプラ２０３においては、例えばＰＷＭ方式の調光信号の信号レベルがハイの期間には、内部のトランジスタが導通状態となり、調光信号の信号レベルがローの期間には、内部のトランジスタが非導通状態となる。
【００３８】
抵抗２０４は、例えば５∨の電源電圧∨DDとフォトカプラ２０３の間に設けられ、フォトカプラ２０３内部のトランジスタが導通状態のときに電流を流す。ここで、フォトカプラ２０３内部のトランジスタが導通状態のときには、電流がこのトランジスタを流れることにより、制御部１３８ａへの出力端子の電位がグランド電位と等しくなる。一方、フォトカプラ２０３内部のトランジスタが非導通状態のときには、制御部１３８ａへの出力端子の電位がグランド電位よりも高くなる。結果として、制御部１３８ａには、調光信号受信部１３７ａによって受信された調光信号のパルスに関する情報が伝達される。
【００３９】
ただし、調光信号受信部１３７ａによって受信された調光信号の信号レベルがハイとなる場合に、フォトカプラ２０３内部のトランジスタが導通状態となり、制御部１３８ａへの出力端子の電位がローとなる。このため、調光信号受信部１３７ａによって受信された調光信号と制御部１３８ａへ出力される信号とは、パルスのハイとローが反転していることになる。
【００４０】
そして、制御部１３８ａは、調光信号受信部１３７ａから出力された信号に基づいてＦＥＴ１３４ａを駆動するため、図示しない調光器からの調光信号において信号レベルがハイの期間が相対的に長くなると、ＦＥＴ１３４ａが非導通状態となる時間が相対的に長くなる。この結果、光源１４０ａの消灯時間が相対的に長くなり、調光信号において信号レベルがハイの期間が相対的に長くなると、光源１４０ａの光量が低下することになる。
【００４１】
図３は、本実施形態に係る増幅部１３９ａの構成を示す図である。図３に示すように、増幅部１３９ａは、抵抗３０１及びＦＥＴ３０２を有する。
【００４２】
抵抗３０１は、制御部１３８ａによって生成された調光信号に応じてＦＥＴ３０２にゲート電圧を印加する。ＦＥＴ３０２は、制御部１３８ａによって生成された調光信号に応じた電圧によって、導通状態及び非導通状態を切り替える。具体的には、ＦＥＴ３０２は、調光信号の信号レベルがハイの場合には抵抗３０１から印加されるゲート電圧がハイとなり、導通状態となる。この結果、増幅部１３９ａの負極の出力端子においては、電位がグランド電位に等しくなり、例えば１２∨の電源電圧∨CCに接続された正極の出力端子との間で電位差が生じ、増幅された調光信号が出力される。
【００４３】
次いで、本実施形態に係る点灯回路１３０ａ〜１３０ｃの動作について、図４に示すフロー図を参照しながら説明する。
【００４４】
図示しない調光器から出力される調光信号は、点灯回路１３０ａの調光信号受信部１３７ａによって受信される（ステップＳ１０１）。このとき、調光信号受信部１３７ａ内の抵抗２０１によって、調光信号の電流値が、１つの点灯回路に対する調光信号の電流値と等しい値に調整される。すなわち、図示しない調光器は、３つの点灯回路１３０ａ〜１３０ｃを備えた照明装置に対して、１つの点灯回路分の電流を供給する。したがって、照明装置が複数の点灯回路を搭載していても、調光器がこの照明装置に供給する電流値は増加せず、調光器に接続可能な照明装置の数が減少することはない。
【００４５】
調光信号受信部１３７ａによって受信された調光信号は、フォトカプラ２０３を介して制御部１３８ａへ伝達される。そして、制御部１３８ａによって、伝達された調光信号に従ったＦＥＴ１３４ａの駆動が行われる（ステップＳ１０２）。すなわち、調光信号がＰＷＭ形式のパルス信号である場合には、このパルス信号のデューティ比に応じてＦＥＴ１３４ａの導通状態及び非導通状態が切り替えられる。結果として、光源１４０ａの点灯時間及び消灯時間の比率が調整されて光量が変化し、調光信号に従った光源１４０ａの調光が行われる。
【００４６】
また、制御部１３８ａによってＦＥＴ１３４ａが駆動されると同時に、例えば制御部１３８ａに備えられたマイコンによって、調光信号受信部１３７ａによって受信された調光信号と同様の調光を行うための調光信号が生成される（ステップＳ１０３）。すなわち、調光信号がＰＷＭ方式のパルス信号である場合には、図示しない調光器が出力した調光信号と同じパルス幅の調光信号が生成されても良いし、図示しない調光器が出力した調光信号に基づく調光信号が生成されても良い。このようにして生成された調光信号は、調光信号受信部１３７ａによって受信された調光信号に基づく情報を有していることになる。
【００４７】
ただし、生成された調光信号の電圧は、制御部１３８ａに備えられたマイコンへ供給される電源電圧（例えば５∨）に基づいた電圧であり、必ずしも調光器が出力した調光信号の電圧とは一致しない。つまり、通常は、調光器が出力した調光信号の電圧よりも小さい電圧の調光信号が制御部１３８ａによって生成される。
【００４８】
制御部１３８ａによって生成された調光信号は、増幅部１３９ａへ出力され、増幅部１３９ａによって増幅される（ステップＳ１０４）。具体的には、調光信号の電圧が増幅部１３９ａにおける電源電圧∨CC（例えば１２∨）によって増幅され、図示しない調光器が出力した調光信号に対応するパルス幅及び電圧を有する調光信号が得られる。そして、この調光信号は、増幅部１３９ａから点灯回路１３０ｂの調光信号受信部１３１ｂへ出力される（ステップＳ１０５）。
【００４９】
以降、点灯回路１３０ｂにおいても上述した処理が繰り返され、光源１４０ｂの調光が行われるとともに、制御部１３８ｂによって調光信号の生成が行われ、増幅部１３９ｂによって調光信号の増幅が行われる。そして、増幅後の調光信号は、増幅部１３９ｂから点灯回路１３０ｃの調光信号受信部１３１ｃへ出力される。ここで、増幅部１３９ｂから出力される調光信号も、図示しない調光器が出力した調光信号に対応する調光信号となっている。そして、点灯回路１３０ｃにおいても点灯回路１３０ａ、１３０ｂと同様に、光源１４０ｃの調光が行われる。
【００５０】
このように、点灯回路１３０ａへ入力される調光信号の電流値は、１つの点灯回路に対する調光信号の電流値と等しいが、各点灯回路１３０ａ〜１３０ｃによって調光信号の生成及び増幅が行われ、増幅後の調光信号がそれぞれ後段の点灯回路１３０ｂ、１３０ｃに出力される。このため、後段の点灯回路１３０ｂ、１３０ｃにおいても、図示しない調光器から点灯回路１３０ａへ入力された調光信号に対応するパルス幅及び電圧を有する調光信号が入力されることになる。結果として、後段の点灯回路１３０ｂ、１３０ｃにおいても調光信号の電圧不足などが生じることがなく、点灯回路１３０ａと同様に確実な調光が行われる。同時に、図示しない調光器から本実施形態に係る照明装置へ供給される電流は、点灯回路を１つ備えた照明装置へ供給される電流に等しいため、調光器に接続可能な照明装置の数が減少することはない。
【００５１】
以上のように、本実施形態によれば、複数の点灯回路を備えた照明装置において、調光信号を受信した点灯回路がこの調光信号に基づく調光信号を生成及び増幅して後段の点灯回路へ出力する。このため、調光器から出力される調光信号の電流値が１つの点灯回路分の電流値であっても、各点灯回路には十分な電流値の調光信号が入力される。そして、照明装置内の点灯回路数が増加しても、調光器から照明装置へ供給される電流値が増加することはないため、調光器に接続可能な照明装置の数は変化しない。すなわち、本実施形態によれば、１つの調光器に接続可能な照明装置の数の減少を防止することができる。
【００５２】
なお、上述した一実施形態においては、照明装置に３つの点灯回路１３０ａ〜１３０ｃが備えられるものとしたが、照明装置に備えられる点灯回路の数は３つに限定されない。また、調光信号はＰＷＭ方式の調光信号である必要はなく、様々な方式の調光信号に対して本発明を適用することが可能である。
【００５３】
以上、本発明の一実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５４】
１１０  交流電源
１２０  電源装置
１３０ａ〜１３０ｃ  点灯回路
１３１ａ〜１３１ｃ、２０２  全波整流器
１３２ａ〜１３２ｃ  電解コンデンサ
１３３ａ〜１３３ｃ  ダイオード
１３４ａ〜１３４ｃ、３０２  ＦＥＴ
１３５ａ〜１３５ｃ  インダクタ
１３６ａ〜１３６ｃ  コンデンサ
１３７ａ〜１３７ｃ  調光信号受信部
１３８ａ〜１３８ｃ  制御部
１３９ａ〜１３９ｃ  増幅部
１４０ａ〜１４０ｃ  光源
２０１、２０４、３０１  抵抗
２０３  フォトカプラ
【図１】
0006015109.tif 000002
【図２】
0006015109.tif 000003
【図３】
0006015109.tif 000004
【図４】
0006015109.tif 000005
【図５】
0006015109.tif 000006